(57)【要約】【課題】基材の露出が生じないラッピング精度の高いラッピング化粧板と、そのような構造のラッピング化粧板を容易に製造するための製造方法とを提供する。【解決手段】板状の基材１０と、周縁部２３が該基材１０の周囲側面１０ｂ，１０ｂ，１０ｃ，１０ｃに位置するように、該基材１０の表面１０ａ及び周囲側面１０ｂ，１０ｂ，１０ｃ，１０ｃに接着一体化されたシート２１からなる化粧シート層２０とを備えたラッピング化粧板１において、シート２１の周縁部２３であって上記基材１０の各角部において該基材１０の側面１０ｂ，１０ｃからはみ出した余剰部分２３ｃは、上記シート２１の周縁部２３であって上記基材１０の短辺側面１０ｃに設けられた短辺側面接着部２３ｂに折り重ねられた状態で固定されている。【選択図】図６
2017172155.tif 000002
【特許請求の範囲】
【請求項１】
板状の基材と、周縁部が該基材の周囲側面に位置するように、該基材の表面及び周囲側面に接着一体化されたシートからなる化粧シート層とを備えたラッピング化粧板であって、
上記化粧シート層では、上記シートの周縁部であって上記基材の各角部において該基材の側面からはみ出した余剰部分が、上記シートの周縁部であって上記基材の側面に設けられた側面接着部に折り重ねられた状態で固定されている
ことを特徴とするラッピング化粧板。
【請求項２】
請求項１において、
上記基材の側面には、上記余剰部分が上記側面接着部に重なる重複部分を収容する収容凹部が形成されている
ことを特徴とするラッピング化粧板。
【請求項３】
請求項２において、
上記収容凹部は、上記重複部分に対応する形状に形成されている
ことを特徴とするラッピング化粧板。
【請求項４】
請求項２又は３において、
上記基材の表面の周縁部は、外側に向かうほど裏面側に位置する面取り部に構成され、
上記基材の周囲側面の各辺には、隣接するラッピング化粧板の基材と係合する雌実又は雄実がそれぞれ形成され、
上記収容凹部は、上記基材の表裏方向において、上記面取り部の裏側端部と上記雌実又は雄実の表側端面との間に形成されている
ことを特徴とするラッピング化粧板。
【請求項５】
請求項１乃至４のいずれか１つにおいて、
上記基材は、木質材料からなる板状部材によって構成されている
ことを特徴とするラッピング化粧板。
【請求項６】
板状の基材と、該基材の表面及び周囲側面に接着一体化されたシートからなる化粧シート層とを備えたラッピング化粧板の製造方法であって、
上記基材の表面よりも大きい上記シートを、周縁部が上記基材の周囲側面に位置するように折り曲げて上記基材の表面と周囲側面とに接着するシート接着工程と、
上記シート接着工程において、上記シートの周縁部であって上記基材の各角部において該基材の側面からはみ出した余剰部分を、上記シートの周縁部であって上記基材の側面に設けられた側面接着部に折り重ねて接着する余剰部分処理工程とを備えている
ことを特徴とするラッピング化粧板の製造方法。
【請求項７】
請求項６において、
上記シート接着工程の前に、上記基材の側面の一部を切り欠いて、上記余剰部分が上記側面接着部に重なる重複部分を収容する収容凹部を形成する切り欠き工程を備え、
上記余剰部分処理工程は、
上記余剰部分を折り曲げて上記側面接着部に重ねる折り曲げ工程と、
上記余剰部分が該側面接着部に重なる重複部分を、上記収容凹部に押し込みながら上記余剰部分を上記側面接着部に接着する接着工程とを備えている
ことを特徴とするラッピング化粧板の製造方法。
【発明の詳細な説明】
【技術分野】
【０００１】
本発明は、建築物の床材や壁材等に用いられる板状の基材の表面がシートでラッピングされたラッピング化粧板及びその製造方法に関し、特に、ラッピング精度を向上させる技術に係るものである。
【背景技術】
【０００２】
従来、この種のラッピング化粧板として、例えば、特許文献１，２に示すように、基材の表面からはみ出す大きさのシートで、基材の表面と周囲側面とを一体的にラッピングしたものがある。これらのラッピング化粧板では、シートを折り曲げながら基材の表面と周囲側面とに接着し、基材の４つの角部において基材の側面からはみ出した余剰部分を切除することによって基材の表面と周囲側面とをシートで一体的にラッピングしている。
【先行技術文献】
【特許文献】
【０００３】
【特許文献１】特開２０１５−２０３０５号公報
【特許文献２】特開２０１５−２０３０６号公報
【発明の概要】
【発明が解決しようとする課題】
【０００４】
しかしながら、上記ラッピング化粧板では、余剰部分を切除するため、その加工精度が悪いと、切除部分に隙間ができて基材が露出するおそれがあった。また、精度良く余剰部分を切除するのは容易ではなく、ラッピング化粧板を容易に製造することができなかった。
【０００５】
本発明は、かかる点に鑑みてなされたものであり、その目的は、基材の露出が生じないラッピング精度の高いラッピング化粧板と、そのような構造のラッピング化粧板を容易に製造するための製造方法とを提供することにある。
【課題を解決するための手段】
【０００６】
上記の目的を達成するために、本発明では、基材の表面よりも大きなシートを基材の表面と周囲側面とに接着して化粧シート層を形成し、化粧シート層において、基材の各角部において該基材の側面からはみ出したシートの余剰部分を、基材の側面に設けられた側面接着部に折り重ねた状態で固定することとした。
【０００７】
具体的には、第１の発明は、板状の基材と、周縁部が該基材の周囲側面に位置するように、該基材の表面及び周囲側面に接着一体化されたシートからなる化粧シート層とを備えたラッピング化粧板を前提としている。
【０００８】
そして、第１の発明に係るラッピング化粧板は、上記化粧シート層では、上記シートの周縁部であって上記基材の各角部において該基材の側面からはみ出した余剰部分が、上記シートの周縁部であって上記基材の側面に設けられた側面接着部に折り重ねられた状態で固定されていることを特徴とする。
【０００９】
第１の発明では、基材の化粧シート層を、シートをその周縁部が基材の周囲側面に位置するように基材の表面及び周囲側面に接着一体化することによって形成し、化粧シート層において、基材の各角部において該基材からはみ出したシートの余剰部分が、基材の側面に設けられた側面接着部に折り重ねた状態で固定されるようにした。このように基材からはみ出したシートの余剰部分をシートの側面接着部に折り重ねて固定する仕上げとしたため、余剰部分を切除する必要がない。よって、切除の加工精度が低いために基材が露出する等のラッピング不良を生じることがない。従って、基材の露出が生じないラッピング精度の高いラッピング化粧板を提供することができる。
【００１０】
第２の発明は、第１の発明において、上記基材の側面には、上記余剰部分が上記側面接着部に重なる重複部分を収容する収容凹部が形成されていることを特徴とする。
【００１１】
ところで、上述のようにシートの余剰部分を切除することなく側面接着部に折り重ねて固定する構成では、化粧シート層の基材の側面に対応する側面部分において余剰部分が側面接着部に重なる重複部分がその他の部分よりも分厚くなる。このように化粧シート層の側面部分の一部が分厚く形成されると、複数のラッピング化粧板を並べて床材や壁材として用いる際に、ラッピング化粧板の間に隙間が形成されるために目地が大きくなって意匠性を低下させるおそれがある。
【００１２】
第２の発明では、基材の側面に、余剰部分が側面接着部に重なる重複部分を収容する収容凹部を形成することとした。このような構成により、化粧シート層においてその他の部分よりも分厚い重複部分が収容凹部に収容される。そのため、化粧シート層の重複部分がその他の部分よりも基材の側面の外側へ出っ張ることがなく、その他の部分に沿うように馴染む。従って、複数のラッピング化粧板を並べて床材や壁材として用いる際に、ラッピング化粧板の間に隙間が形成されて目地が大きくなることがなく、意匠性の低下を抑制することができる。また、ラッピング化粧板の側面に段差が形成されないため、複数のラッピング化粧板を並べて床材や壁材として用いる際に、ずれ等の施工不良を抑制することもできる。
【００１３】
第３の発明は、第２の発明において、上記収容凹部は、上記重複部分に対応する形状に形成されていることを特徴とする。
【００１４】
第３の発明では、収容凹部を重複部分の形状に合わせて形成することとしたため、収容凹部を無駄に大きく形成することなく、必要最小限の大きさに形成することができる。これにより、無駄に基材の強度を低下させることなく、ラッピング化粧板の側面において段差が生じるのを抑制することができる。
【００１５】
第４の発明は、第２又は第３の発明において、上記基材の表面の周縁部は、外側に向かうほど裏面側に位置する面取り部に構成され、上記基材の周囲側面の各辺には、隣接するラッピング化粧板の基材と係合する雌実又は雄実がそれぞれ形成され、上記収容凹部は、上記基材の表裏方向において、上記面取り部の裏側端部と上記雌実又は雄実の表側端面との間に形成されている。
【００１６】
第４の発明では、収容凹部は、基材の側面において、面取り部と雌実又は雄実との間に形成されている。このような構成により、基材の周囲側面を切り欠いて面取り部や雌実又は雄実を形成する際に、容易に収容凹部も形成することができる。
【００１７】
第５の発明は、第１乃至第４のいずれか１つの発明において、上記基材は、木質材料からなる板状部材によって構成されている。
【００１８】
第５の発明では、基材が木質材料からなる板状部材で構成されている。木質材料からなる板状部材は平滑性が高い。そのため、加工性に優れ、化粧シート層の形成を容易に行うことができると共に、意匠性に優れたラッピング化粧板を構成することができる。また、木質材料からなる板状部材によって基材を構成することにより、基材の一部を切り欠くことによって容易に収容凹部を形成することができる。これにより、基材の切り欠き加工時（例えば、実加工時）に、同時に収容凹部を形成することができるため、基材に収容凹部を形成することとしても、加工工程を増やすことなく、容易に基材を形成することができる。
【００１９】
第６の発明は、板状の基材と、該基材に接着一体化されたシートからなる化粧シート層とを備えたラッピング化粧板の製造方法が対象である。
【００２０】
そして、第６の発明に係るラッピング化粧板の製造方法は、上記基材の表面よりも大きい上記シートを、周縁部が上記基材の周囲側面に位置するように折り曲げて上記基材の表面と周囲側面とに接着するシート接着工程と、上記シート接着工程において、上記シートの周縁部であって上記基材の各角部において該基材の側面からはみ出した余剰部分を、上記シートの周縁部であって上記基材の側面に設けられた側面接着部に折り重ねて接着する余剰部分処理工程とを備えていることを特徴とする。
【００２１】
第６の発明では、基材の表面より大きなシートを折り曲げて基材の表面と周囲側面とに接着した後に、シートの周縁部であって基材の各角部において該基材の側面からはみ出した余剰部分を、シートの周縁部であって基材の側面に設けられた側面接着部に折り重ねて接着することとした。このようにシートの周縁部の余剰部分を基材の側面に設けられた側面接着部に折り重ねて接着する仕上げとしたため、従来の製造方法のように余剰部分を切除する必要がない。よって、切除の加工精度が低いために基材が露出する等のラッピング不良を生じることがない。従って、基材の露出が生じないラッピング精度の高いラッピング化粧板を製造することができる。また、余剰部分を精度よく切除する必要がないため、従来の製造方法よりもラッピング化粧板を容易に製造することができる。
【００２２】
第７の発明は、第６の発明において、上記シート接着工程の前に、上記基材の側面の一部を切り欠いて、上記余剰部分が上記側面接着部に重なる重複部分を収容する収容凹部を形成する切り欠き工程を備え、上記余剰部分処理工程は、上記余剰部分を折り曲げて上記側面接着部に重ねる折り曲げ工程と、上記余剰部分が該側面接着部に重なる重複部分を、上記収容凹部に押し込みながら上記余剰部分を上記側面接着部に固定する接着工程とを備えていることを特徴とする。
【００２３】
第７の発明では、シートの周縁部の余剰部分を切除することなく、折り曲げて側面接着部に重ねた後、余剰部分が側面接着部に重なる化粧シート層の重複部分を、シートの接着前に基材の側面に形成した収容凹部に押し込みながら余剰部分を側面接着部に固定することとした。このような製造方法により、化粧シート層の側面部分においてその他の部分よりも分厚い重複部分が、基材の側面の外側へ出っ張ることがなく、その他の部分に沿うように馴染む。そのため、意匠性及び施工性に優れたラッピング化粧板を製造することができる。また、上記製造方法によれば、余剰部分を切断することなく、余剰部分を折り曲げて側面接着部に重ね、その重複部分を収容凹部に押し込みながら両者を接着するだけでよく、また、余剰部分を切除する従来の製造方法のように、加工精度によって仕上がりが大きく左右されることがないので、意匠性及び施工性に優れたラッピング化粧板を容易に形成することができる。
【発明の効果】
【００２４】
本発明によれば、基材の表面よりも大きなシートを基材の表面と周囲側面とに接着して化粧シート層を形成し、化粧シート層において、基材の各角部において該基材の側面からはみ出したシートの余剰部分を、基材の側面に設けられた側面接着部に折り重ねた状態で固定する構成としたため、従来のように、余剰部分を切除する加工精度が低いために基材が露出する等のラッピング不良が生じるおそれがなく、ラッピング精度の高いラッピング化粧板を提供することができる。また、化粧シート層を形成する際に余剰部分を精度よく切除する必要がないため、ラッピング精度の高いラッピング化粧板を容易に製造することができる。
【図面の簡単な説明】
【００２５】
【図１】図１は、本発明の実施形態１に係るラッピング化粧板の斜視図である。
【図２】図２は、本発明の実施形態１に係るラッピング化粧板の平面図である。
【図３】図３は、図２におけるIII−III線方向の矢視図である。
【図４】図４は、図２におけるIV−IV線断面図である。
【図５】図５は、基材の角部の収容凹部付近を拡大して示す斜視図である。
【図６】図６は、図５の基材に化粧シート層を形成した後の様子を、図５と同様の角度から拡大して示す斜視図である。
【図７】図７（ａ）及び（ｂ）は、ラッピング化粧板の製造方法において、シートを基材の表面に接着する第１シート接着工程の説明図であり、図７（ａ）は平面図、図７（ｂ）は側面図である。
【図８】図８（ａ）及び（ｂ）は、ラッピング化粧板の製造方法において、シートを基材の長辺側面に接着する第２シート接着工程の説明図であり、図８（ａ）は平面図、図８（ｂ）は側面図である。
【図９】図９（ａ）及び（ｂ）は、ラッピング化粧板の製造方法において、シートを基材の短辺側面に接着する第３シート接着工程の説明図であり、図９（ａ）は平面図、図９（ｂ）は側面図である。
【図１０】図１０（ａ）及び（ｂ）は、ラッピング化粧板の製造方法において、折り曲げ工程の説明図であり、図１０（ａ）は平面図、図１０（ｂ）は側面図である。
【図１１】図１１（ａ）及び（ｂ）は、ラッピング化粧板の製造方法において、接着工程の説明図であり、図１１（ａ）は平面図、図１１（ｂ）は側面図である。
【発明を実施するための形態】
【００２６】
以下、本発明の実施形態を図面に基づいて詳細に説明する。以下の実施形態は、本質的に好ましい例示に過ぎず、本発明、その適用物、あるいはその用途の範囲を制限することを意図するものではない。
【００２７】
《発明の実施形態１》
図１及び図２は、本発明の実施形態１に係るラッピング化粧板１を示している。このラッピング化粧板１は、例えば、床材等として用いられる。
【００２８】
−構成−
ラッピング化粧板１は、矩形板状の基材１０と、この基材１０に接着剤を介して接着一体化されたシート２１からなる化粧シート層２０とを備えている。
【００２９】
〈基材の構成〉
図３に示すように、上記基材１０は、合板に中密度繊維板（ＭＤＦ）等を積層することによって構成されている。なお、基材１０は、このような構成に限られず、例えば、パーティクルボードやハードボード等のその他の木質材料、大建工業（株）製の製品名「ダイライト」等の無機質系板材等、通常に建材として用いられる板状の材料を用いたらよい。基材１０は、例えば、厚み１５ｍｍ、幅３０３ｍｍ、長さ１８１８ｍｍの長方形状に形成されている。
【００３０】
［雌実及び雄実］
基材１０の周囲側面１０ｂ，１０ｂ，１０ｃ，１０ｃの各辺には雌実４又は雄実５が形成されている。具体的には、基材１０の幅方向に対向する長辺側面１０ｂ，１０ｂの一方には雌実４が形成され、他方にはこの雌実４に嵌合可能な雄実５が形成されている。また、基材１０の長さ方向に対向する短辺側面１０ｃ，１０ｃの一方には雌実４が形成され、他方にはこの雌実４に嵌合可能な雄実５が形成されている。長辺側面１０ｂ，１０ｂの雌実４に、隣接するラッピング化粧板１の基材１０の長辺側面１０ｂ，１０ｂの雄実５を嵌合することで、両ラッピング化粧板１が並べられて施工され、短辺側面１０ｃ，１０ｃの雌実４に、隣接するラッピング化粧板１の基材１０の短辺側面１０ｃ，１０ｃの雄実５を嵌合することで、両ラッピング化粧板１が並べられて施工されるように構成されている。
【００３１】
上記長辺側面１０ｂ及び短辺側面１０ｃの雌実４，４は、同じ構造に構成されている。雌実４，４は、雌実凹部４ａと、表側雌実突部４ｂと、裏側雌実凸部４ｃとをそれぞれ有している。雌実凹部４ａは、基材１０の長辺側面１０ｂ及び短辺側面１０ｃの厚み方向である表裏方向の中間部をそれぞれ凹溝状に切り欠くことで形成されている。表側雌実凸部４ｂ及び裏側雌実凸部４ｃは、基材１０の雌実凹部４ａを切り欠いた残りの部分であって、表側雌実凸部４ｂは雌実凹部４ａの表側に位置する部分であり、裏側雌実凸部４ｃは雌実凹部４ａの裏側に位置する部分である。なお、本実施形態では、裏側雌実凸部４ｃの突出長さが、表側雌実凸部４ｂの突出長さよりも長くなるように、表側雌実凸部４ｂは、基材１０の雌実凹部４ａの表側の部分を雌実凹部４ａよりも浅く凹溝状に切り欠くことによって形成されている。
【００３２】
上記長辺側面１０ｂ及び短辺側面１０ｃの雄実５，５は、同じ構造に構成されている。雄実５，５は、雄実凸部５ａと、表側雄実凹部５ｂと、裏側雄実凹部５ｃとをそれぞれ有している。雄実凸部５ａと表側雄実凹部５ｂと裏側雄実凹部５ｃとは、基材１０の長辺側面１０ｂ及び短辺側面１０ｃの表裏方向の中間部が凸条になるように該中間部の表側と裏側とをそれぞれ切り欠くことによって形成されている。なお、本実施形態では、裏側雄実凹部５ｃは、表側雄実凹部５ｂよりも深く凹溝状に切り欠くことによって形成されている。
【００３３】
このように、本実施形態では、隣り合うラッピング化粧板１の端面が嵌合するように、基材１０に、雌実４と雄実５とを形成する所謂本実加工を施している。しかしながら、隣り合うラッピング化粧板１の端面を嵌合させる構造はこれに限らない。例えば、基材１０の短辺側面１０ｃ，１０ｃの一方は基材１０の厚み方向の表側部を切り欠き、他方は基材１０の厚み方向の裏側部を切り欠く所謂合決り加工を施すこととしてもよい。また、本実加工は、上述のものに限られず、表側雌実凸部４ｂと裏側雌実凸部４ｃの突出長さが等しく、表側雄実凹部５ｂと裏側雄実凹部５ｃの深さが等しいものであってもよい。
【００３４】
［面取り部］
図３及び図４に示すように、基材１０の表面１０ａは、ラッピング化粧板１の化粧面を構成する。基材１０の表面１０ａと長辺側面１０ｂ，１０ｂ及び短辺側面１０ｃ，１０ｃの各々との角部には、各角部を斜め（又は円弧状）に切り欠くことにより、外側に向かうほど基材１０の裏面側に位置する面取り部２が形成されている。
【００３５】
なお、図５及び図６に示すように、基材１０の短辺側面１０ｃ，１０ｃには、後述する化粧シート層２０の重複部分２０ｄ，…、２０ｄを収容する収容凹部３０が形成されている。収容凹部３０の詳細については後述する。
【００３６】
〈化粧シート層の構成〉
化粧シート層２０は、基材１０の表面１０ａ、長辺側面１０ｂ，１０ｂ及び短辺側面１０ｃ，１０ｃを一体的に覆うと共に接着剤によって接着されたシート２１によって形成されている。接着剤としては、例えば、湿気硬化型ウレタン樹脂系ホットメルト接着剤（PURホットメルト接着剤）が用いられている。このように、湿気硬化型ウレタン樹脂系ホットメルト接着剤を用いることで、シート２１で基材１０を容易にラッピングして該シート２１を接着することができる。なお、湿気硬化型ウレタン樹脂系ホットメルト接着剤以外の接着剤を用いることもできる。
【００３７】
上記シート２１は、例えば、ポリ塩化ビニル、ポリオレフィン系等の樹脂シート等からなり、その厚みは、０．１〜０．４ｍｍ程度のものが用いられる。また、シート２１は、基材１０の表面１０ａよりも大きい長方形状に形成されている。なお、シート２１として、上述したもの以外に、ポリエチレンテレフタレート等の樹脂シート、コート紙、樹脂含浸紙等の化粧紙、不織布、織布、木質薄化粧突き板、畳表等の薄いシート材を用いることができる。シート２１の厚みは、ラッピング設備との兼ね合いで決定すればよく、紙であれば例えば、０．０５〜０．３ｍｍ程度のもの、木質薄化粧突き板であれば、０．１５〜０．３０ｍｍ程度のものが好適に用いられる。
【００３８】
図３及び図４に示すように、このシート２１からなる化粧シート層２０は、基材１０の表面１０ａに装着される表面部２０ａと、基材１０の長辺側面１０ｂ，１０ｂにそれぞれ装着される２つの長辺側面部２０ｂ，２０ｂと、基材１０の短辺側面１０ｃ，１０ｃにそれぞれ装着される２つの短辺側面部２０ｃ，２０ｃとによって構成されている。
【００３９】
表面部２０ａは、接着剤によって基材１０の表面１０ａに接着されたシート２１の本体部２２によって構成されている。
【００４０】
２つの長辺側面部２０ｂ，２０ｂは、シート２１の周縁部２３であって接着剤によって基材１０の長辺側面１０ｂ，１０ｂに接着された長辺側面接着部２３ａ、２３ａによって構成されている。
【００４１】
シート２１の２つの長辺側面接着部２３ａ，２３ａのうち、雌実４が形成された長辺側面１０ｂ上に位置する長辺側面接着部２３ａは、長辺側面１０ｂの一部である雌実４の表側雌実凸部４ｂの突出先端面に接着され、その基材１０の表裏方向において裏側の先端が雌実凹部４ａに到達しないように、表側雌実凸部４ｂの突出先端面において雌実凹部４ａ近傍まで延びている。
【００４２】
一方、シート２１の２つの長辺側面接着部２３ａ，２３ａのうち、雄実５が形成された長辺側面１０ｂ上に位置する長辺側面接着部２３ａは、長辺側面１０ｂの一部である雄実５の表側雄実凹部５ｂの底面に接着され、その基材１０の表裏方向において裏側の先端が雄実凸部５ａに到達しないように、表側雄実凹部５ｂの底面において雄実凸部５ａ近傍まで延びている。
【００４３】
２つの短辺側面部２０ｃ，２０ｃは、シート２１の周縁部２３であって接着剤によって基材１０の短辺側面１０ｃ，１０ｃに接着された短辺側面接着部２３ｂ，２３ｂと、同じくシート２１の周縁部２３であってシート２１の接着時に基材１０からはみ出した余剰部分２３ｃ，…，２３ｃとによって構成されている。
【００４４】
シート２１の２つの短辺側面接着部２３ｂ，２３ｂのうち、雌実４が形成された短辺側面１０ｃ上に位置する短辺側面接着部２３ｂは、基材１０の短辺側面１０ｃの一部である雌実４の表側雌実凸部４ｂの突出先端面に接着され、その基材１０の表裏方向において裏側の先端が雌実凹部４ａに到達しないように、表側雌実凸部４ｂの突出先端面において雌実凹部４ａ近傍まで延びている。
【００４５】
一方、シート２１の２つの短辺側面接着部２３ｂ，２３ｂのうち、雄実５が形成された短辺側面１０ｃ上に位置する短辺側面接着部２３ｂは、基材１０の短辺側面１０ｃの一部である雄実５の表側雄実凹部５ｂの底面に接着され、その基材１０の表裏方向において裏側の先端が雄実凸部５ａに到達しないように、表側雄実凹部５ｂの底面において雄実凸部５ａ近傍まで延びている。
【００４６】
また、シート２１の基材１０に接着されずに、基材１０の各角部において、長辺側面１０ｂ及び短辺側面１０ｃからはみ出した余剰部分２３ｃ，…，２３ｃは、短辺側面接着部２３ｂ，２３ｂに折り重ねられ、その状態で接着剤によって接着されている。また、詳細については後述するが、この余剰部分２３ｃ，…，２３ｃが短辺側面接着部２３ｂ，２３ｂに重なる化粧シート層２０の重複部分２０ｄは、後述する基材１０の短辺側面１０ｃ、１０ｃに形成された収容凹部３０に押し込まれて収容されている。
【００４７】
このような構成により、基材１０の表面１０ａ及び各側面１０ｂ，１０ｃは、シート２１によって覆われ、基材１０の表面１０ａ及び各側面１０ｂ，１０ｃ上に化粧シート層２０が形成されている。
【００４８】
［収容凹部］
図５及び図６に示すように、基材１０の短辺側面１０ｃ，１０ｃには、上述した化粧シート層２０の重複部分２０ｄ，…、２０ｄを収容する収容凹部３０が形成されている。収容凹部３０は、２つの短辺側面１０ｃの長手方向の両端部に形成されている。具体的には、収容凹部３０は、雌実４が形成された短辺側面１０ｃでは、該短辺側面１０ｃの一部である表側雌実凸部４ｂの突出先端面の長手方向の両端部に形成され、雄実５が形成された短辺側面１０ｃでは、該短辺側面１０ｃの一部である表側雄実凹部５ｂの底面の長手方向の両端部に形成されている。
【００４９】
各収容凹部３０は、表側雌実凸部４ｂの突出先端面の長手方向の両端部又は表側雄実凹部５ｂの底面の長手方向の両端部を、シート２１の余剰部分２３ｄの厚み分だけ三角形状に切り欠いて形成した凹溝によって構成されている。各収容凹部３０は、化粧シート層２０の重複部分２０ｄに対応する形状、具体的には、重複部分２０ｄが押し込まれた際に収まるように、該重複部分２０ｄよりも大きな三角形状に形成されている。このように形成された各収容凹部３０に重複部分２０ｄを押し込んで収容させることにより、化粧シート層２０の重複部分２０ｄがその他の部分よりも基材１０の側面１０ｂ，１０ｃの外側へ出っ張ることがなく、その他の部分に沿うように馴染む。
【００５０】
−製造方法−
以下、本発明の実施形態１に係るラッピング化粧板１の製造方法について図７〜図１１に基づいて説明する。ラッピング化粧板１の製造方法は、基材１０の切り欠き加工工程と、基材１０へのシート２１のラッピング工程と、余剰部分処理工程とを有する。なお、以下で説明する工程の順序は、一例にすぎず、本発明に係る製造方法はこれに限られない。
（１）基材１０の切り欠き加工工程
まず、基材１０に切り欠き加工が施される。基材１０の切り欠き加工は、実加工と面取り加工と凹溝加工とを有する。実加工工程と面取り加工工程とは、同時に行ってもよく、順番に行ってもよい。凹溝加工工程は、実加工工程後に行われる。
【００５１】
［実加工工程］
実加工工程では、基材１０の長辺側面１０ｂ，１０ｂ及び短辺側面１０ｃ，１０ｃをそれぞれ切り欠いて、長辺側面１０ｂ，１０ｂ及び短辺側面１０ｃ，１０ｃに雌実４と雄実５とをそれぞれ加工する。
【００５２】
［面取り加工工程］
面取り加工工程では、基材１０の表面１０ａと長辺側面１０ｂ，１０ｂ及び短辺側面１０ｃ，１０ｃの各々との角部を斜め（又は円弧状）に切り欠いて、外側に向かうほど基材１０の裏面側に位置する面取り部２を形成する。
【００５３】
[凹溝加工工程]
凹溝加工工程では、基材１０の短辺側面１０ｃ，１０ｃの長手方向の両端部を、三角形状の凹溝状に切り欠いて重複部分２０ｄを収容する収容凹部３０を形成する。
（２）基材１０へのラッピング工程
次に、シート２１が基材１０の表面１０ａ、長辺側面１０ｂ，１０ｂ及び短辺側面１０ｃ，１０ｃにラッピング加工が施され、基材１０に化粧シート層２０が形成される。ラッピング加工は、接着剤塗布工程と、第１〜第３シート接着工程とを有する。
【００５４】
［接着剤塗布工程］
接着剤塗布工程では、シート２１の裏面に接着剤（湿気硬化型ウレタン樹脂系ホットメルト接着剤）を塗布する。なお、接着剤は、シート２１の裏面に塗布するのに代えて、基材１０の表面１０ａ、長辺側面１０ｂ，１０ｂ及び短辺側面１０ｃ，１０ｃに塗布してもよい。
【００５５】
このシート２１は、例えば、ロール等に巻き取られ、該ロールから連続的に繰り出されて供給されるものであり、予め、その幅が基材１０にラッピングしたときに基材１０の幅に対応する基準幅に設定されていてもよく、基準幅よりも大きくてもよい。具体的には、シート２１の基準幅は、シート２１を基材１０に各々の幅方向を一致させてラッピングし、後述の第２シート接着工程において基材１０の長辺側面１０ｂ，１０ｂに接着されたシート２１の長辺側面接着部２３ａ、２３ａの先端（基材１０の表裏方向の裏側端）が、基材１０の長辺側面１０ｂ，１０ｂの雌実凹部４ａ及び雄実凸部５ａに到達しないような幅である。図７（ａ）においては基準幅のシート２１を示している。
【００５６】
［第１シート接着工程］
図７（ａ）及び（ｂ）に示すように、第１シート接着工程では、上記シート２１を基材１０の表面１０ａに加圧し、接着剤を固化させて接着する。このとき、シート２１と基材１０とを幅方向に正確に位置合わせして接着する。このような動作により、基材１０の表面１０ａ上に、シート２１の本体部２２を接着する。本実施形態では、シート２１の本体部２２によって、化粧シート層２０の表面部２０ａが構成される。
【００５７】
［第２シート接着工程］
図８（ａ）及び（ｂ）に示すように、第２シート接着工程では、基材１０の表面１０ａに接着された上記シート２１の周縁部であって幅方向の両端部を折り曲げて基材１０の２つの長辺側面１０ｂ，１０ｂに接着剤で接着する。
【００５８】
具体的には、加熱した折り曲げ治具を用いて、シート２１の幅方向の両端部を、基材１０の長辺側面１０ｂの表側雌実凸部４ｂの突出先端面及び表側雄実凹部５ｂの底面に押し付け、シート２１裏面の接着剤を再活性化（再溶融）させるホットプレス動作を行う。その後、上記折り曲げ治具の加熱をやめ、加熱されない状態の折り曲げ治具で、シート２１の幅方向の両端部を、基材１０の長辺側面１０ｂの表側雌実凸部４ｂの突出先端面及び表側雄実凹部５ｂの底面に押し付け、上記再活性化された接着剤を冷却することによって固化させて接着するコールドプレス動作を行う。
【００５９】
以上のホットプレス動作とコールドプレス動作とにより、基材１０の長辺側面１０ｂの表側雌実凸部４ｂの突出先端面及び表側雄実凹部５ｂの底面上に、シート２１の周縁部２３の長辺側面接着部２３ａ，２３ａを接着する。本実施形態では、シート２１の２つの長辺側面接着部２３ａ，２３ａによって、化粧シート層２０の２つの長辺側面部２０ｂ，２０ｂが構成される。
【００６０】
［第３シート接着工程］
図９（ａ）及び（ｂ）に示すように、第３シート接着工程では、基材１０の表面１０ａに接着された上記シート２１の周縁部であって長手方向の両端部を折り曲げて基材１０の２つの短辺側面１０ｃ，１０ｃに接着剤で接着する。
【００６１】
具体的には、加熱した折り曲げ治具を用いて、シート２１の長手方向の両端部を、基材１０の短辺側面１０ｃの表側雌実凸部４ｂの突出先端面及び表側雄実凹部５ｂの底面に押し付け、シート２１裏面の接着剤を再活性化（再溶融）させるホットプレス動作を行う。その後、上記折り曲げ治具の加熱をやめ、加熱されない状態の折り曲げ治具で、シート２１の長手方向の両端部を、基材１０の短辺側面１０ｃの表側雌実凸部４ｂの突出先端面及び表側雄実凹部５ｂの底面に押し付け、上記再活性化された接着剤を冷却することによって固化させて接着するコールドプレス動作を行う。
【００６２】
以上のホットプレス動作とコールドプレス動作とにより、基材１０の短辺側面１０ｃの表側雌実凸部４ｂの突出先端面及び表側雄実凹部５ｂの底面上に、シート２１の周縁部２３の短辺側面接着部２３ｂ，２３ｂを接着する。
【００６３】
この第３シート接着工程が終了すると、基材１０の２つの長辺側面１０ｂ，１０ｂ及び２つの短辺側面１０ｃ，１０ｃに、長方形状のシート２１の周縁部２３が折り曲げられて接着された状態となる。このとき、基材１０の周囲の４つの角部では、シート２１の周縁部２３の角部が基材１０の長辺側面１０ｂと短辺側面１０ｃとからはみ出して基材１０に接着されない余剰部分２３ｃ，…，２３ｃとなって存在している。図９（ｂ）に示すように、各余剰部分２３ｃは、シート２１の周縁部２３の各角部が、基材１０の各角部において、基材１０の長辺側面１０ｂからはみ出した部分と短辺側面１０ｃからはみ出した部分の裏面どうしが重なるように折り曲げられることによって形成され、側面視において三角形状に形成されている。
（３）余剰部分処理工程
次に、上述のラッピング工程において基材１０の各角部において形成されたシート２１の余剰部分２３ｃを、基材１０の短辺側面１０ｃ，１０ｃに接着されたシート２１の短辺側面接着部２３ｂに折り重ねて接着する余剰部分処理工程が行われる。余剰部分処理工程は、接着剤塗布工程と、折り曲げ工程と、接着工程とを有する。
【００６４】
［接着剤塗布工程］
接着剤塗布工程では、各余剰部分２３ｃの短辺側面接着部２３ｂに連続する面に接着剤（湿気硬化型ウレタン樹脂系ホットメルト接着剤）を塗布する。なお、接着剤は、各余剰部分２３ｃの短辺側面接着部２３ｂに連続する面に塗布するのに代えて、短辺側面接着部２３ｂの余剰部分２３ｃが重なる部分に塗布してもよい。
【００６５】
［折り曲げ工程］
図１０（ａ）及び（ｂ）に示すように、折り曲げ工程では、シート２１の各余剰部分２３ｃを、基材１０の短辺側面に接着されたシート２１の短辺側面接着部２３ｂに折り重なるように折り曲げる。これにより、基材１０の短辺側面１０ｃの表側雌実凸部４ｂの突出先端面及び表側雄実凹部５ｂの底面上に、シート２１の周縁部２３の短辺側面接着部２３ｂ，２３ｂと余剰部分２３ｃ，…，２３ｃとによって、化粧シート層２０の２つの短辺側面部２０ｃ，２０ｃが形成される。
【００６６】
［接着工程］
図１１（ａ）及び（ｂ）に示すように、接着工程では、化粧シート層２０の余剰部分２３ｃが短辺側面接着部２３ｂに重なる重複部分２０ｄを、加圧することによって収容凹部３０に押し込みながら、余剰部分２３ｃ又は短辺側面接着部２３ｃに塗布された接着剤を固化させて余剰部分２３ｃを短辺側面接着部２３ｃに接着する。
【００６７】
以上のようにして、本ラッピング化粧板１は、基材１０へのシート２１のラッピング工程の後、上述の余剰部分処理工程を行うことにより、基材１０に接着されずにはみ出したシート２１の余剰部分２３ｃが、切断されることなく、短辺側面接着部２３ｂに折り重ねられた状態で接着されることとなる。
【００６８】
ところで、化粧シート層２０において余剰部分２３ｃが短辺側面接着部２３ｂに重なる重複部分２０ｄは、その他の部分よりも分厚く形成される。このように化粧シート層２０の短辺側面部分２０ｃの一部が分厚く形成されると、複数のラッピング化粧板１を並べて床材や壁材として用いる際に、ラッピング化粧板１の間に隙間が形成されるために目地が大きくなって意匠性を低下させるおそれがある。
【００６９】
しかしながら、本実施形態では、余剰部分処理工程において、余剰部分２３ｃを短辺側面接着部２３ｃに接着する際に、化粧シート層２０の重複部分２０ｄを収容凹部３０に押し込むことにしている。そのため、化粧シート層２０の短辺側面部２０ｃにおいてその他の部分よりも分厚い重複部分２０ｄが、基材１０の短辺側面１０ｃの外側へ出っ張ることがなく、その他の部分に沿うように馴染むこととなる。
【００７０】
−実施形態１の効果−
以上のように、本ラッピング化粧板１によれば、基材１０の化粧シート層２０を、シート２１をその周縁部２３が基材１０の周囲側面１０ｂ，１０ｂ，１０ｃ，１０ｃに位置するように基材１０の表面１０ａ及び周囲側面１０ｂ，１０ｂ，１０ｃ，１０ｃに接着一体化することによって形成し、化粧シート層２０において、基材１０の各角部において該基材１０からはみ出した余剰部分２３ｃが、基材１０の側面（短辺側面１０ｃ，１０ｃ）に接着された側面接着部（短辺側面接着部２３ｂ，２３ｂ）に折り重ねた状態で固定されるようにした。このように基材１０からはみ出したシート２１の余剰部分２３ｃをシート２１の側面接着部（短辺側面１０ｃ，１０ｃ）に折り重ねて固定する仕上げとしたため、従来のように、余剰部分２３ｃを切除する必要がない。よって、切除の加工精度が低いために基材１０が露出する等のラッピング不良を生じることがない。従って、基材１０の露出が生じないラッピング精度の高いラッピング化粧板１を提供することができる。
【００７１】
また、本ラッピング化粧板１では、基材１０の側面（短辺側面１０ｃ，１０ｃ）に、余剰部分２３ｃ，…，２３ｃが側面接着部（短辺側面１０ｃ，１０ｃ）に重なる重複部分２０ｄを収容する収容凹部３０を形成することとした。このような構成により、化粧シート層２０においてその他の部分よりも分厚い重複部分２０ｄが収容凹部３０に収容されるため、化粧シート層２０の重複部分２０ｄがその他の部分よりも基材１０の側面（短辺側面１０ｃ，１０ｃ）の外側へ出っ張ることがなく、その他の部分に沿うように馴染む。従って、複数のラッピング化粧板１を並べて床材や壁材として用いる際に、ラッピング化粧板１の間に隙間が形成されて目地が大きくなることがなく、意匠性の低下を抑制することができる。また、ラッピング化粧板１の側面（短辺側面１０ｃ，１０ｃ）に段差が形成されないため、複数のラッピング化粧板１を並べて床材や壁材として用いる際に、ずれ等の施工不良を抑制することもできる。
【００７２】
ところで、本実施形態１では、収容凹部３０は、上記重複部分２０ｄに対応する形状に形成されている。このような構成により、収容凹部３０を無駄に大きく形成することなく、必要最小限の大きさに形成することができる。これにより、無駄に基材１０の強度を低下させることなく、ラッピング化粧板１の側面（短辺側面１０ｃ，１０ｃ）において段差が生じるのを抑制することができる。
【００７３】
また、本実施形態１では、収容凹部３０は、基材１０の短辺側面１０ｃ，１０ｃにおいて、面取り部２と雌実４又は雄実５との間に形成されている。このような構成により、基材１０の周囲側面１０ｂ，１０ｂ，１０ｃ，１０ｃを切り欠いて面取り部３や雌実４又は雄実５を形成する際に、容易に収容凹部３０も形成することができる。
【００７４】
また、本実施形態１では、基材１０を木質材料からなる板状部材で構成している。木質材料からなる板状部材は平滑性が高い。そのため、加工性に優れ、化粧シート層２０の形成を容易に行うことができると共に、意匠性に優れたラッピング化粧板１を構成することができる。また、木質材料からなる板状部材によって基材１０を構成することにより、基材１０の一部を切り欠くことによって容易に収容凹部３０を形成することができる。これにより、基材１０の切り欠き加工時（例えば、実加工時）に、同時に収容凹部３０を形成することができるため、基材１０に収容凹部３０を形成することとしても、加工工程を増やすことなく、容易に基材１０を形成することができる。
【００７５】
また、本実施形態１では、基材１０の表面１０ａより大きなシート２１を折り曲げて基材１０の表面１０ａと周囲側面１０ｂ，１０ｂ，１０ｃ，１０ｃとに接着した後に、シート２１の周縁部２３であって基材１０の各角部において該基材１０の側面１０ｂ，１０ｂ，１０ｃ，１０ｃからはみ出した余剰部分２３ｃを、シート２１の周縁部２３であって基材１０の側面（短辺側面１０ｃ）に接着された側面接着部（短辺側面接着部２３ｂ）に折り重ねて接着することとした。このようにシート２１の周縁部２３の余剰部分２３ｃを基材１０の側面（短辺側面１０ｃ）に接着された側面接着部（短辺側面接着部２３ｂ）に折り重ねて接着する仕上げとしたため、従来の製造方法のように余剰部分２３ｃを切除する必要がない。よって、切除の加工精度が低いために基材１０が露出する等のラッピング不良を生じることがない。従って、基材１０の露出が生じないラッピング精度の高いラッピング化粧板１を製造することができる。また、余剰部分２３ｃを精度よく切除する必要がないため、従来の製造方法よりもラッピング化粧板１を容易に製造することができる。
【００７６】
また、本実施形態１では、シート２１の周縁部２３の余剰部分２３ｃを切除することなく、折り曲げて側面接着部（短辺側面接着部２３ｂ）に重ねた後、余剰部分２３ｃが側面接着部（短辺側面接着部２３ｂ）に重なる化粧シート層２０の重複部分２０ｄを、シート２１の接着前に基材１０の側面（短辺側面１０ｃ）に形成した収容凹部３０に押し込みながら余剰部分２３ｃを側面接着部（短辺側面接着部２３ｂ）に固定することとした。このような製造方法により、化粧シート層２０の側面部分（短辺側面部２０ｃ）においてその他の部分よりも分厚い重複部分２０ｄが、基材１０の側面（短辺側面１０ｃ）の外側へ出っ張ることがなく、その他の部分に沿うように馴染む。そのため、意匠性及び施工性に優れたラッピング化粧板１を製造することができる。また、上記製造方法によれば、余剰部分２３ｃを切断することなく、余剰部分２３ｃを折り曲げて側面接着部（短辺側面接着部２３ｂ）に重ね、その化粧シート層２０の重複部分２０ｄを収容凹部３０に押し込みながら両者を接着するだけでよく、また、余剰部分２３ｃを切除する従来の製造方法のように、加工精度によって仕上がりが大きく左右されることがないので、意匠性及び施工性に優れたラッピング化粧板１を容易に形成することができる。
【００７７】
《その他の実施形態》
上記実施形態では、基材１０の短辺側面１０ｃ，１０ｃに収容凹部３０を形成していたが、収容凹部３０は、基材１０の長辺側面１０ｂ，１０ｂに形成されていてもよい。収容凹部３０は、基材１０の各角部を挟む長辺側面１０ｂと短辺側面１０ｃの少なくとも一方に形成されていればよいが、両方に形成されていてもよい。
【００７８】
また、上記実施形態では、収容凹部３０は、三角形状の凹溝によって構成されていたが、収容凹部３０は、化粧シート層２０の重複部分２０ｄを収容可能な大きさであれば、三角形状に限られない。矩形状の凹溝であってもよい。
【００７９】
また、上記実施形態では、シート２１の余剰部分２３ｃを側面接着部（短辺側面接着部２３ｂ）に固定する際に、接着剤を用いて接着することとしていたが、加熱することによって余剰部分２３ｃを溶融させて側面接着部に融着することとしてもよい。
【００８０】
また、上記実施形態では、シート２１の余剰部分２３ｃが側面接着部（短辺側面接着部２３ｂ）に重なる化粧シート層２０の重複部分２０ｄを、収容凹部３０に押し込むこととしていたが、収容凹部３０を形成せずに、単に、シート２１の余剰部分２３ｃを切除せずに折り曲げて側面接着部に固定するだけであっても、基材１０の露出が生じないラッピング精度の高いラッピング化粧板１を提供でき、また、そのような構造のラッピング化粧板１を容易に製造することができる点において、従来のラッピング化粧板１より有利なものである。
【００８１】
また、上記各実施形態では、ラッピング化粧板１を床材として用いることとしていたが、ラッピング化粧板１の用途は床材に限られない。その他、例えば、壁材等に用いることも勿論可能である。
【産業上の利用可能性】
【００８２】
以上説明したように、本発明は、建築物の床材や壁材等に用いられる板状の基材の表面がシートでラッピングされたラッピング化粧板及びその製造方法について有用である。
【符号の説明】
【００８３】
１      ラッピング化粧板
２      面取り部
４      雌実
５      雄実
１０      基材
１０ａ    表面
１０ｂ    長辺側面（周囲側面、側面）
１０ｃ    短辺側面（周囲側面、側面）
２０      化粧シート層
２０ｄ    重複部分
２１      シート
２３      周縁部
２３      余剰部分
２３ａ    長辺側面接着部（側面接着部）
２３ｂ    短辺側面接着部（側面接着部）
２３ｃ    余剰部分
３０      収容凹部
【図１】
2017172155.tif 000003
【図２】
2017172155.tif 000004
【図３】
2017172155.tif 000005
【図４】
2017172155.tif 000006
【図５】
2017172155.tif 000007
【図６】
2017172155.tif 000008
【図７】
2017172155.tif 000009
【図８】
2017172155.tif 000010
【図９】
2017172155.tif 000011
【図１０】
2017172155.tif 000012
【図１１】
2017172155.tif 000013
【手続補正書】
【提出日】平成29年5月26日(2017.5.26)
【手続補正１】
【補正対象書類名】明細書
【補正対象項目名】全文
【補正方法】変更
【補正の内容】
【発明の詳細な説明】
【技術分野】
【０００１】
本発明は、建築物の床材や壁材等に用いられる板状の基材の表面がシートでラッピングされたラッピング化粧板及びその製造方法に関し、特に、ラッピング精度を向上させる技術に係るものである。
【背景技術】
【０００２】
従来、この種のラッピング化粧板として、例えば、特許文献１，２に示すように、基材の表面からはみ出す大きさのシートで、基材の表面と周囲側面とを一体的にラッピングしたものがある。これらのラッピング化粧板では、シートを折り曲げながら基材の表面と周囲側面とに接着し、基材の４つの角部において基材の側面からはみ出した余剰部分を切除することによって基材の表面と周囲側面とをシートで一体的にラッピングしている。
【先行技術文献】
【特許文献】
【０００３】
【特許文献１】特開２０１５−２０３０５号公報
【特許文献２】特開２０１５−２０３０６号公報
【発明の概要】
【発明が解決しようとする課題】
【０００４】
しかしながら、上記ラッピング化粧板では、余剰部分を切除するため、その加工精度が悪いと、切除部分に隙間ができて基材が露出するおそれがあった。また、精度良く余剰部分を切除するのは容易ではなく、ラッピング化粧板を容易に製造することができなかった。
【０００５】
本発明は、かかる点に鑑みてなされたものであり、その目的は、基材の露出が生じないラッピング精度の高いラッピング化粧板と、そのような構造のラッピング化粧板を容易に製造するための製造方法とを提供することにある。
【課題を解決するための手段】
【０００６】
上記の目的を達成するために、本発明では、基材の表面よりも大きなシートを基材の表面と周囲側面とに接着して化粧シート層を形成し、化粧シート層において、基材の各角部において該基材の側面からはみ出したシートの余剰部分を、基材の側面に設けられた側面接着部に折り重ねた状態で固定することとした。
【０００７】
具体的には、第１の発明は、板状の基材と、周縁部が該基材の周囲側面に位置するように、該基材の表面及び周囲側面に接着一体化されたシートからなる化粧シート層とを備えたラッピング化粧板を前提としている。
【０００８】
そして、第１の発明に係るラッピング化粧板は、上記化粧シート層では、上記シートの周縁部であって上記基材の各角部において該基材の側面からはみ出した余剰部分が、上記シートの周縁部であって上記基材の側面に設けられた側面接着部に折り重ねられた状態で固定されていることを特徴とする。
【０００９】
第１の発明では、基材の化粧シート層を、シートをその周縁部が基材の周囲側面に位置するように基材の表面及び周囲側面に接着一体化することによって形成し、化粧シート層において、基材の各角部において該基材からはみ出したシートの余剰部分が、基材の側面に設けられた側面接着部に折り重ねた状態で固定されるようにした。このように基材からはみ出したシートの余剰部分をシートの側面接着部に折り重ねて固定する仕上げとしたため、余剰部分を切除する必要がない。よって、切除の加工精度が低いために基材が露出する等のラッピング不良を生じることがない。従って、基材の露出が生じないラッピング精度の高いラッピング化粧板を提供することができる。
【００１０】
また、第１の発明は、上記構成に加え、上記基材の側面には、上記余剰部分が上記側面接着部に重なる重複部分を収容する収容凹部が形成されていることを特徴とする。
【００１１】
ところで、上述のようにシートの余剰部分を切除することなく側面接着部に折り重ねて固定する構成では、化粧シート層の基材の側面に対応する側面部分において余剰部分が側面接着部に重なる重複部分がその他の部分よりも分厚くなる。このように化粧シート層の側面部分の一部が分厚く形成されると、複数のラッピング化粧板を並べて床材や壁材として用いる際に、ラッピング化粧板の間に隙間が形成されるために目地が大きくなって意匠性を低下させるおそれがある。
【００１２】
第１の発明では、基材の側面に、余剰部分が側面接着部に重なる重複部分を収容する収容凹部を形成することとした。このような構成により、化粧シート層においてその他の部分よりも分厚い重複部分が収容凹部に収容される。そのため、化粧シート層の重複部分がその他の部分よりも基材の側面の外側へ出っ張ることがなく、その他の部分に沿うように馴染む。従って、複数のラッピング化粧板を並べて床材や壁材として用いる際に、ラッピング化粧板の間に隙間が形成されて目地が大きくなることがなく、意匠性の低下を抑制することができる。また、ラッピング化粧板の側面に段差が形成されないため、複数のラッピング化粧板を並べて床材や壁材として用いる際に、ずれ等の施工不良を抑制することもできる。
【００１３】
第２の発明は、第１の発明において、上記収容凹部は、上記重複部分に対応する形状に形成されていることを特徴とする。
【００１４】
第２の発明では、収容凹部を重複部分の形状に合わせて形成することとしたため、収容凹部を無駄に大きく形成することなく、必要最小限の大きさに形成することができる。これにより、無駄に基材の強度を低下させることなく、ラッピング化粧板の側面において段差が生じるのを抑制することができる。
【００１５】
第３の発明は、第１又は第２の発明において、上記基材の表面の周縁部は、外側に向かうほど裏面側に位置する面取り部に構成され、上記基材の周囲側面の各辺には、隣接するラッピング化粧板の基材と係合する雌実又は雄実がそれぞれ形成され、上記収容凹部は、上記基材の表裏方向において、上記面取り部の裏側端部と上記雌実又は雄実の表側端面との間に形成されている。
【００１６】
第３の発明では、収容凹部は、基材の側面において、面取り部と雌実又は雄実との間に形成されている。このような構成により、基材の周囲側面を切り欠いて面取り部や雌実又は雄実を形成する際に、容易に収容凹部も形成することができる。
【００１７】
第４の発明は、第１乃至第３のいずれか１つの発明において、上記基材は、木質材料からなる板状部材によって構成されている。
【００１８】
第４の発明では、基材が木質材料からなる板状部材で構成されている。木質材料からなる板状部材は平滑性が高い。そのため、加工性に優れ、化粧シート層の形成を容易に行うことができると共に、意匠性に優れたラッピング化粧板を構成することができる。また、木質材料からなる板状部材によって基材を構成することにより、基材の一部を切り欠くことによって容易に収容凹部を形成することができる。これにより、基材の切り欠き加工時（例えば、実加工時）に、同時に収容凹部を形成することができるため、基材に収容凹部を形成することとしても、加工工程を増やすことなく、容易に基材を形成することができる。
【００１９】
第５の発明は、板状の基材と、該基材に接着一体化されたシートからなる化粧シート層とを備えたラッピング化粧板の製造方法が対象である。
【００２０】
そして、第５の発明に係るラッピング化粧板の製造方法は、上記基材の表面よりも大きい上記シートを、周縁部が上記基材の周囲側面に位置するように折り曲げて上記基材の表面と周囲側面とに接着するシート接着工程と、上記シート接着工程において、上記シートの周縁部であって上記基材の各角部において該基材の側面からはみ出した余剰部分を、上記シートの周縁部であって上記基材の側面に設けられた側面接着部に折り重ねて接着する余剰部分処理工程とを備えていることを特徴とする。
【００２１】
第５の発明では、基材の表面より大きなシートを折り曲げて基材の表面と周囲側面とに接着した後に、シートの周縁部であって基材の各角部において該基材の側面からはみ出した余剰部分を、シートの周縁部であって基材の側面に設けられた側面接着部に折り重ねて接着することとした。このようにシートの周縁部の余剰部分を基材の側面に設けられた側面接着部に折り重ねて接着する仕上げとしたため、従来の製造方法のように余剰部分を切除する必要がない。よって、切除の加工精度が低いために基材が露出する等のラッピング不良を生じることがない。従って、基材の露出が生じないラッピング精度の高いラッピング化粧板を製造することができる。また、余剰部分を精度よく切除する必要がないため、従来の製造方法よりもラッピング化粧板を容易に製造することができる。
【００２２】
また、第５の発明は、上記構成に加え、上記シート接着工程の前に、上記基材の側面の一部を切り欠いて、上記余剰部分が上記側面接着部に重なる重複部分を収容する収容凹部を形成する切り欠き工程を備え、上記余剰部分処理工程は、上記余剰部分を折り曲げて上記側面接着部に重ねる折り曲げ工程と、上記余剰部分が該側面接着部に重なる重複部分を、上記収容凹部に押し込みながら上記余剰部分を上記側面接着部に固定する接着工程とを備えていることを特徴とする。
【００２３】
第５の発明では、シートの周縁部の余剰部分を切除することなく、折り曲げて側面接着部に重ねた後、余剰部分が側面接着部に重なる化粧シート層の重複部分を、シートの接着前に基材の側面に形成した収容凹部に押し込みながら余剰部分を側面接着部に固定することとした。このような製造方法により、化粧シート層の側面部分においてその他の部分よりも分厚い重複部分が、基材の側面の外側へ出っ張ることがなく、その他の部分に沿うように馴染む。そのため、意匠性及び施工性に優れたラッピング化粧板を製造することができる。また、上記製造方法によれば、余剰部分を切断することなく、余剰部分を折り曲げて側面接着部に重ね、その重複部分を収容凹部に押し込みながら両者を接着するだけでよく、また、余剰部分を切除する従来の製造方法のように、加工精度によって仕上がりが大きく左右されることがないので、意匠性及び施工性に優れたラッピング化粧板を容易に形成することができる。
【発明の効果】
【００２４】
本発明によれば、基材の表面よりも大きなシートを基材の表面と周囲側面とに接着して化粧シート層を形成し、化粧シート層において、基材の各角部において該基材の側面からはみ出したシートの余剰部分を、基材の側面に設けられた側面接着部に折り重ねた状態で固定する構成としたため、従来のように、余剰部分を切除する加工精度が低いために基材が露出する等のラッピング不良が生じるおそれがなく、ラッピング精度の高いラッピング化粧板を提供することができる。また、化粧シート層を形成する際に余剰部分を精度よく切除する必要がないため、ラッピング精度の高いラッピング化粧板を容易に製造することができる。
【図面の簡単な説明】
【００２５】
【図１】図１は、本発明の実施形態１に係るラッピング化粧板の斜視図である。
【図２】図２は、本発明の実施形態１に係るラッピング化粧板の平面図である。
【図３】図３は、図２におけるIII−III線方向の矢視図である。
【図４】図４は、図２におけるIV−IV線断面図である。
【図５】図５は、基材の角部の収容凹部付近を拡大して示す斜視図である。
【図６】図６は、図５の基材に化粧シート層を形成した後の様子を、図５と同様の角度から拡大して示す斜視図である。
【図７】図７（ａ）及び（ｂ）は、ラッピング化粧板の製造方法において、シートを基材の表面に接着する第１シート接着工程の説明図であり、図７（ａ）は平面図、図７（ｂ）は側面図である。
【図８】図８（ａ）及び（ｂ）は、ラッピング化粧板の製造方法において、シートを基材の長辺側面に接着する第２シート接着工程の説明図であり、図８（ａ）は平面図、図８（ｂ）は側面図である。
【図９】図９（ａ）及び（ｂ）は、ラッピング化粧板の製造方法において、シートを基材の短辺側面に接着する第３シート接着工程の説明図であり、図９（ａ）は平面図、図９（ｂ）は側面図である。
【図１０】図１０（ａ）及び（ｂ）は、ラッピング化粧板の製造方法において、折り曲げ工程の説明図であり、図１０（ａ）は平面図、図１０（ｂ）は側面図である。
【図１１】図１１（ａ）及び（ｂ）は、ラッピング化粧板の製造方法において、接着工程の説明図であり、図１１（ａ）は平面図、図１１（ｂ）は側面図である。
【発明を実施するための形態】
【００２６】
以下、本発明の実施形態を図面に基づいて詳細に説明する。以下の実施形態は、本質的に好ましい例示に過ぎず、本発明、その適用物、あるいはその用途の範囲を制限することを意図するものではない。
【００２７】
《発明の実施形態１》
図１及び図２は、本発明の実施形態１に係るラッピング化粧板１を示している。このラッピング化粧板１は、例えば、床材等として用いられる。
【００２８】
−構成−
ラッピング化粧板１は、矩形板状の基材１０と、この基材１０に接着剤を介して接着一体化されたシート２１からなる化粧シート層２０とを備えている。
【００２９】
〈基材の構成〉
図３に示すように、上記基材１０は、合板に中密度繊維板（ＭＤＦ）等を積層することによって構成されている。なお、基材１０は、このような構成に限られず、例えば、パーティクルボードやハードボード等のその他の木質材料、大建工業（株）製の製品名「ダイライト」等の無機質系板材等、通常に建材として用いられる板状の材料を用いたらよい。基材１０は、例えば、厚み１５ｍｍ、幅３０３ｍｍ、長さ１８１８ｍｍの長方形状に形成されている。
【００３０】
［雌実及び雄実］
基材１０の周囲側面１０ｂ，１０ｂ，１０ｃ，１０ｃの各辺には雌実４又は雄実５が形成されている。具体的には、基材１０の幅方向に対向する長辺側面１０ｂ，１０ｂの一方には雌実４が形成され、他方にはこの雌実４に嵌合可能な雄実５が形成されている。また、基材１０の長さ方向に対向する短辺側面１０ｃ，１０ｃの一方には雌実４が形成され、他方にはこの雌実４に嵌合可能な雄実５が形成されている。長辺側面１０ｂ，１０ｂの雌実４に、隣接するラッピング化粧板１の基材１０の長辺側面１０ｂ，１０ｂの雄実５を嵌合することで、両ラッピング化粧板１が並べられて施工され、短辺側面１０ｃ，１０ｃの雌実４に、隣接するラッピング化粧板１の基材１０の短辺側面１０ｃ，１０ｃの雄実５を嵌合することで、両ラッピング化粧板１が並べられて施工されるように構成されている。
【００３１】
上記長辺側面１０ｂ及び短辺側面１０ｃの雌実４，４は、同じ構造に構成されている。雌実４，４は、雌実凹部４ａと、表側雌実突部４ｂと、裏側雌実凸部４ｃとをそれぞれ有している。雌実凹部４ａは、基材１０の長辺側面１０ｂ及び短辺側面１０ｃの厚み方向である表裏方向の中間部をそれぞれ凹溝状に切り欠くことで形成されている。表側雌実凸部４ｂ及び裏側雌実凸部４ｃは、基材１０の雌実凹部４ａを切り欠いた残りの部分であって、表側雌実凸部４ｂは雌実凹部４ａの表側に位置する部分であり、裏側雌実凸部４ｃは雌実凹部４ａの裏側に位置する部分である。なお、本実施形態では、裏側雌実凸部４ｃの突出長さが、表側雌実凸部４ｂの突出長さよりも長くなるように、表側雌実凸部４ｂは、基材１０の雌実凹部４ａの表側の部分を雌実凹部４ａよりも浅く凹溝状に切り欠くことによって形成されている。
【００３２】
上記長辺側面１０ｂ及び短辺側面１０ｃの雄実５，５は、同じ構造に構成されている。雄実５，５は、雄実凸部５ａと、表側雄実凹部５ｂと、裏側雄実凹部５ｃとをそれぞれ有している。雄実凸部５ａと表側雄実凹部５ｂと裏側雄実凹部５ｃとは、基材１０の長辺側面１０ｂ及び短辺側面１０ｃの表裏方向の中間部が凸条になるように該中間部の表側と裏側とをそれぞれ切り欠くことによって形成されている。なお、本実施形態では、裏側雄実凹部５ｃは、表側雄実凹部５ｂよりも深く凹溝状に切り欠くことによって形成されている。
【００３３】
このように、本実施形態では、隣り合うラッピング化粧板１の端面が嵌合するように、基材１０に、雌実４と雄実５とを形成する所謂本実加工を施している。しかしながら、隣り合うラッピング化粧板１の端面を嵌合させる構造はこれに限らない。例えば、基材１０の短辺側面１０ｃ，１０ｃの一方は基材１０の厚み方向の表側部を切り欠き、他方は基材１０の厚み方向の裏側部を切り欠く所謂合決り加工を施すこととしてもよい。また、本実加工は、上述のものに限られず、表側雌実凸部４ｂと裏側雌実凸部４ｃの突出長さが等しく、表側雄実凹部５ｂと裏側雄実凹部５ｃの深さが等しいものであってもよい。
【００３４】
［面取り部］
図３及び図４に示すように、基材１０の表面１０ａは、ラッピング化粧板１の化粧面を構成する。基材１０の表面１０ａと長辺側面１０ｂ，１０ｂ及び短辺側面１０ｃ，１０ｃの各々との角部には、各角部を斜め（又は円弧状）に切り欠くことにより、外側に向かうほど基材１０の裏面側に位置する面取り部２が形成されている。
【００３５】
なお、図５及び図６に示すように、基材１０の短辺側面１０ｃ，１０ｃには、後述する化粧シート層２０の重複部分２０ｄ，…、２０ｄを収容する収容凹部３０が形成されている。収容凹部３０の詳細については後述する。
【００３６】
〈化粧シート層の構成〉
化粧シート層２０は、基材１０の表面１０ａ、長辺側面１０ｂ，１０ｂ及び短辺側面１０ｃ，１０ｃを一体的に覆うと共に接着剤によって接着されたシート２１によって形成されている。接着剤としては、例えば、湿気硬化型ウレタン樹脂系ホットメルト接着剤（PURホットメルト接着剤）が用いられている。このように、湿気硬化型ウレタン樹脂系ホットメルト接着剤を用いることで、シート２１で基材１０を容易にラッピングして該シート２１を接着することができる。なお、湿気硬化型ウレタン樹脂系ホットメルト接着剤以外の接着剤を用いることもできる。
【００３７】
上記シート２１は、例えば、ポリ塩化ビニル、ポリオレフィン系等の樹脂シート等からなり、その厚みは、０．１〜０．４ｍｍ程度のものが用いられる。また、シート２１は、基材１０の表面１０ａよりも大きい長方形状に形成されている。なお、シート２１として、上述したもの以外に、ポリエチレンテレフタレート等の樹脂シート、コート紙、樹脂含浸紙等の化粧紙、不織布、織布、木質薄化粧突き板、畳表等の薄いシート材を用いることができる。シート２１の厚みは、ラッピング設備との兼ね合いで決定すればよく、紙であれば例えば、０．０５〜０．３ｍｍ程度のもの、木質薄化粧突き板であれば、０．１５〜０．３０ｍｍ程度のものが好適に用いられる。
【００３８】
図３及び図４に示すように、このシート２１からなる化粧シート層２０は、基材１０の表面１０ａに装着される表面部２０ａと、基材１０の長辺側面１０ｂ，１０ｂにそれぞれ装着される２つの長辺側面部２０ｂ，２０ｂと、基材１０の短辺側面１０ｃ，１０ｃにそれぞれ装着される２つの短辺側面部２０ｃ，２０ｃとによって構成されている。
【００３９】
表面部２０ａは、接着剤によって基材１０の表面１０ａに接着されたシート２１の本体部２２によって構成されている。
【００４０】
２つの長辺側面部２０ｂ，２０ｂは、シート２１の周縁部２３であって接着剤によって基材１０の長辺側面１０ｂ，１０ｂに接着された長辺側面接着部２３ａ、２３ａによって構成されている。
【００４１】
シート２１の２つの長辺側面接着部２３ａ，２３ａのうち、雌実４が形成された長辺側面１０ｂ上に位置する長辺側面接着部２３ａは、長辺側面１０ｂの一部である雌実４の表側雌実凸部４ｂの突出先端面に接着され、その基材１０の表裏方向において裏側の先端が雌実凹部４ａに到達しないように、表側雌実凸部４ｂの突出先端面において雌実凹部４ａ近傍まで延びている。
【００４２】
一方、シート２１の２つの長辺側面接着部２３ａ，２３ａのうち、雄実５が形成された長辺側面１０ｂ上に位置する長辺側面接着部２３ａは、長辺側面１０ｂの一部である雄実５の表側雄実凹部５ｂの底面に接着され、その基材１０の表裏方向において裏側の先端が雄実凸部５ａに到達しないように、表側雄実凹部５ｂの底面において雄実凸部５ａ近傍まで延びている。
【００４３】
２つの短辺側面部２０ｃ，２０ｃは、シート２１の周縁部２３であって接着剤によって基材１０の短辺側面１０ｃ，１０ｃに接着された短辺側面接着部２３ｂ，２３ｂと、同じくシート２１の周縁部２３であってシート２１の接着時に基材１０からはみ出した余剰部分２３ｃ，…，２３ｃとによって構成されている。
【００４４】
シート２１の２つの短辺側面接着部２３ｂ，２３ｂのうち、雌実４が形成された短辺側面１０ｃ上に位置する短辺側面接着部２３ｂは、基材１０の短辺側面１０ｃの一部である雌実４の表側雌実凸部４ｂの突出先端面に接着され、その基材１０の表裏方向において裏側の先端が雌実凹部４ａに到達しないように、表側雌実凸部４ｂの突出先端面において雌実凹部４ａ近傍まで延びている。
【００４５】
一方、シート２１の２つの短辺側面接着部２３ｂ，２３ｂのうち、雄実５が形成された短辺側面１０ｃ上に位置する短辺側面接着部２３ｂは、基材１０の短辺側面１０ｃの一部である雄実５の表側雄実凹部５ｂの底面に接着され、その基材１０の表裏方向において裏側の先端が雄実凸部５ａに到達しないように、表側雄実凹部５ｂの底面において雄実凸部５ａ近傍まで延びている。
【００４６】
また、シート２１の基材１０に接着されずに、基材１０の各角部において、長辺側面１０ｂ及び短辺側面１０ｃからはみ出した余剰部分２３ｃ，…，２３ｃは、短辺側面接着部２３ｂ，２３ｂに折り重ねられ、その状態で接着剤によって接着されている。また、詳細については後述するが、この余剰部分２３ｃ，…，２３ｃが短辺側面接着部２３ｂ，２３ｂに重なる化粧シート層２０の重複部分２０ｄは、後述する基材１０の短辺側面１０ｃ、１０ｃに形成された収容凹部３０に押し込まれて収容されている。
【００４７】
このような構成により、基材１０の表面１０ａ及び各側面１０ｂ，１０ｃは、シート２１によって覆われ、基材１０の表面１０ａ及び各側面１０ｂ，１０ｃ上に化粧シート層２０が形成されている。
【００４８】
［収容凹部］
図５及び図６に示すように、基材１０の短辺側面１０ｃ，１０ｃには、上述した化粧シート層２０の重複部分２０ｄ，…、２０ｄを収容する収容凹部３０が形成されている。収容凹部３０は、２つの短辺側面１０ｃの長手方向の両端部に形成されている。具体的には、収容凹部３０は、雌実４が形成された短辺側面１０ｃでは、該短辺側面１０ｃの一部である表側雌実凸部４ｂの突出先端面の長手方向の両端部に形成され、雄実５が形成された短辺側面１０ｃでは、該短辺側面１０ｃの一部である表側雄実凹部５ｂの底面の長手方向の両端部に形成されている。
【００４９】
各収容凹部３０は、表側雌実凸部４ｂの突出先端面の長手方向の両端部又は表側雄実凹部５ｂの底面の長手方向の両端部を、シート２１の余剰部分２３ｄの厚み分だけ三角形状に切り欠いて形成した凹溝によって構成されている。各収容凹部３０は、化粧シート層２０の重複部分２０ｄに対応する形状、具体的には、重複部分２０ｄが押し込まれた際に収まるように、該重複部分２０ｄよりも大きな三角形状に形成されている。このように形成された各収容凹部３０に重複部分２０ｄを押し込んで収容させることにより、化粧シート層２０の重複部分２０ｄがその他の部分よりも基材１０の側面１０ｂ，１０ｃの外側へ出っ張ることがなく、その他の部分に沿うように馴染む。
【００５０】
−製造方法−
以下、本発明の実施形態１に係るラッピング化粧板１の製造方法について図７〜図１１に基づいて説明する。ラッピング化粧板１の製造方法は、基材１０の切り欠き加工工程と、基材１０へのシート２１のラッピング工程と、余剰部分処理工程とを有する。なお、以下で説明する工程の順序は、一例にすぎず、本発明に係る製造方法はこれに限られない。
（１）基材１０の切り欠き加工工程
まず、基材１０に切り欠き加工が施される。基材１０の切り欠き加工は、実加工と面取り加工と凹溝加工とを有する。実加工工程と面取り加工工程とは、同時に行ってもよく、順番に行ってもよい。凹溝加工工程は、実加工工程後に行われる。
【００５１】
［実加工工程］
実加工工程では、基材１０の長辺側面１０ｂ，１０ｂ及び短辺側面１０ｃ，１０ｃをそれぞれ切り欠いて、長辺側面１０ｂ，１０ｂ及び短辺側面１０ｃ，１０ｃに雌実４と雄実５とをそれぞれ加工する。
【００５２】
［面取り加工工程］
面取り加工工程では、基材１０の表面１０ａと長辺側面１０ｂ，１０ｂ及び短辺側面１０ｃ，１０ｃの各々との角部を斜め（又は円弧状）に切り欠いて、外側に向かうほど基材１０の裏面側に位置する面取り部２を形成する。
【００５３】
[凹溝加工工程]
凹溝加工工程では、基材１０の短辺側面１０ｃ，１０ｃの長手方向の両端部を、三角形状の凹溝状に切り欠いて重複部分２０ｄを収容する収容凹部３０を形成する。
（２）基材１０へのラッピング工程
次に、シート２１が基材１０の表面１０ａ、長辺側面１０ｂ，１０ｂ及び短辺側面１０ｃ，１０ｃにラッピング加工が施され、基材１０に化粧シート層２０が形成される。ラッピング加工は、接着剤塗布工程と、第１〜第３シート接着工程とを有する。
【００５４】
［接着剤塗布工程］
接着剤塗布工程では、シート２１の裏面に接着剤（湿気硬化型ウレタン樹脂系ホットメルト接着剤）を塗布する。なお、接着剤は、シート２１の裏面に塗布するのに代えて、基材１０の表面１０ａ、長辺側面１０ｂ，１０ｂ及び短辺側面１０ｃ，１０ｃに塗布してもよい。
【００５５】
このシート２１は、例えば、ロール等に巻き取られ、該ロールから連続的に繰り出されて供給されるものであり、予め、その幅が基材１０にラッピングしたときに基材１０の幅に対応する基準幅に設定されていてもよく、基準幅よりも大きくてもよい。具体的には、シート２１の基準幅は、シート２１を基材１０に各々の幅方向を一致させてラッピングし、後述の第２シート接着工程において基材１０の長辺側面１０ｂ，１０ｂに接着されたシート２１の長辺側面接着部２３ａ、２３ａの先端（基材１０の表裏方向の裏側端）が、基材１０の長辺側面１０ｂ，１０ｂの雌実凹部４ａ及び雄実凸部５ａに到達しないような幅である。図７（ａ）においては基準幅のシート２１を示している。
【００５６】
［第１シート接着工程］
図７（ａ）及び（ｂ）に示すように、第１シート接着工程では、上記シート２１を基材１０の表面１０ａに加圧し、接着剤を固化させて接着する。このとき、シート２１と基材１０とを幅方向に正確に位置合わせして接着する。このような動作により、基材１０の表面１０ａ上に、シート２１の本体部２２を接着する。本実施形態では、シート２１の本体部２２によって、化粧シート層２０の表面部２０ａが構成される。
【００５７】
［第２シート接着工程］
図８（ａ）及び（ｂ）に示すように、第２シート接着工程では、基材１０の表面１０ａに接着された上記シート２１の周縁部であって幅方向の両端部を折り曲げて基材１０の２つの長辺側面１０ｂ，１０ｂに接着剤で接着する。
【００５８】
具体的には、加熱した折り曲げ治具を用いて、シート２１の幅方向の両端部を、基材１０の長辺側面１０ｂの表側雌実凸部４ｂの突出先端面及び表側雄実凹部５ｂの底面に押し付け、シート２１裏面の接着剤を再活性化（再溶融）させるホットプレス動作を行う。その後、上記折り曲げ治具の加熱をやめ、加熱されない状態の折り曲げ治具で、シート２１の幅方向の両端部を、基材１０の長辺側面１０ｂの表側雌実凸部４ｂの突出先端面及び表側雄実凹部５ｂの底面に押し付け、上記再活性化された接着剤を冷却することによって固化させて接着するコールドプレス動作を行う。
【００５９】
以上のホットプレス動作とコールドプレス動作とにより、基材１０の長辺側面１０ｂの表側雌実凸部４ｂの突出先端面及び表側雄実凹部５ｂの底面上に、シート２１の周縁部２３の長辺側面接着部２３ａ，２３ａを接着する。本実施形態では、シート２１の２つの長辺側面接着部２３ａ，２３ａによって、化粧シート層２０の２つの長辺側面部２０ｂ，２０ｂが構成される。
【００６０】
［第３シート接着工程］
図９（ａ）及び（ｂ）に示すように、第３シート接着工程では、基材１０の表面１０ａに接着された上記シート２１の周縁部であって長手方向の両端部を折り曲げて基材１０の２つの短辺側面１０ｃ，１０ｃに接着剤で接着する。
【００６１】
具体的には、加熱した折り曲げ治具を用いて、シート２１の長手方向の両端部を、基材１０の短辺側面１０ｃの表側雌実凸部４ｂの突出先端面及び表側雄実凹部５ｂの底面に押し付け、シート２１裏面の接着剤を再活性化（再溶融）させるホットプレス動作を行う。その後、上記折り曲げ治具の加熱をやめ、加熱されない状態の折り曲げ治具で、シート２１の長手方向の両端部を、基材１０の短辺側面１０ｃの表側雌実凸部４ｂの突出先端面及び表側雄実凹部５ｂの底面に押し付け、上記再活性化された接着剤を冷却することによって固化させて接着するコールドプレス動作を行う。
【００６２】
以上のホットプレス動作とコールドプレス動作とにより、基材１０の短辺側面１０ｃの表側雌実凸部４ｂの突出先端面及び表側雄実凹部５ｂの底面上に、シート２１の周縁部２３の短辺側面接着部２３ｂ，２３ｂを接着する。
【００６３】
この第３シート接着工程が終了すると、基材１０の２つの長辺側面１０ｂ，１０ｂ及び２つの短辺側面１０ｃ，１０ｃに、長方形状のシート２１の周縁部２３が折り曲げられて接着された状態となる。このとき、基材１０の周囲の４つの角部では、シート２１の周縁部２３の角部が基材１０の長辺側面１０ｂと短辺側面１０ｃとからはみ出して基材１０に接着されない余剰部分２３ｃ，…，２３ｃとなって存在している。図９（ｂ）に示すように、各余剰部分２３ｃは、シート２１の周縁部２３の各角部が、基材１０の各角部において、基材１０の長辺側面１０ｂからはみ出した部分と短辺側面１０ｃからはみ出した部分の裏面どうしが重なるように折り曲げられることによって形成され、側面視において三角形状に形成されている。
（３）余剰部分処理工程
次に、上述のラッピング工程において基材１０の各角部において形成されたシート２１の余剰部分２３ｃを、基材１０の短辺側面１０ｃ，１０ｃに接着されたシート２１の短辺側面接着部２３ｂに折り重ねて接着する余剰部分処理工程が行われる。余剰部分処理工程は、接着剤塗布工程と、折り曲げ工程と、接着工程とを有する。
【００６４】
［接着剤塗布工程］
接着剤塗布工程では、各余剰部分２３ｃの短辺側面接着部２３ｂに連続する面に接着剤（湿気硬化型ウレタン樹脂系ホットメルト接着剤）を塗布する。なお、接着剤は、各余剰部分２３ｃの短辺側面接着部２３ｂに連続する面に塗布するのに代えて、短辺側面接着部２３ｂの余剰部分２３ｃが重なる部分に塗布してもよい。
【００６５】
［折り曲げ工程］
図１０（ａ）及び（ｂ）に示すように、折り曲げ工程では、シート２１の各余剰部分２３ｃを、基材１０の短辺側面に接着されたシート２１の短辺側面接着部２３ｂに折り重なるように折り曲げる。これにより、基材１０の短辺側面１０ｃの表側雌実凸部４ｂの突出先端面及び表側雄実凹部５ｂの底面上に、シート２１の周縁部２３の短辺側面接着部２３ｂ，２３ｂと余剰部分２３ｃ，…，２３ｃとによって、化粧シート層２０の２つの短辺側面部２０ｃ，２０ｃが形成される。
【００６６】
［接着工程］
図１１（ａ）及び（ｂ）に示すように、接着工程では、化粧シート層２０の余剰部分２３ｃが短辺側面接着部２３ｂに重なる重複部分２０ｄを、加圧することによって収容凹部３０に押し込みながら、余剰部分２３ｃ又は短辺側面接着部２３ｃに塗布された接着剤を固化させて余剰部分２３ｃを短辺側面接着部２３ｃに接着する。
【００６７】
以上のようにして、本ラッピング化粧板１は、基材１０へのシート２１のラッピング工程の後、上述の余剰部分処理工程を行うことにより、基材１０に接着されずにはみ出したシート２１の余剰部分２３ｃが、切断されることなく、短辺側面接着部２３ｂに折り重ねられた状態で接着されることとなる。
【００６８】
ところで、化粧シート層２０において余剰部分２３ｃが短辺側面接着部２３ｂに重なる重複部分２０ｄは、その他の部分よりも分厚く形成される。このように化粧シート層２０の短辺側面部分２０ｃの一部が分厚く形成されると、複数のラッピング化粧板１を並べて床材や壁材として用いる際に、ラッピング化粧板１の間に隙間が形成されるために目地が大きくなって意匠性を低下させるおそれがある。
【００６９】
しかしながら、本実施形態では、余剰部分処理工程において、余剰部分２３ｃを短辺側面接着部２３ｃに接着する際に、化粧シート層２０の重複部分２０ｄを収容凹部３０に押し込むことにしている。そのため、化粧シート層２０の短辺側面部２０ｃにおいてその他の部分よりも分厚い重複部分２０ｄが、基材１０の短辺側面１０ｃの外側へ出っ張ることがなく、その他の部分に沿うように馴染むこととなる。
【００７０】
−実施形態１の効果−
以上のように、本ラッピング化粧板１によれば、基材１０の化粧シート層２０を、シート２１をその周縁部２３が基材１０の周囲側面１０ｂ，１０ｂ，１０ｃ，１０ｃに位置するように基材１０の表面１０ａ及び周囲側面１０ｂ，１０ｂ，１０ｃ，１０ｃに接着一体化することによって形成し、化粧シート層２０において、基材１０の各角部において該基材１０からはみ出した余剰部分２３ｃが、基材１０の側面（短辺側面１０ｃ，１０ｃ）に接着された側面接着部（短辺側面接着部２３ｂ，２３ｂ）に折り重ねた状態で固定されるようにした。このように基材１０からはみ出したシート２１の余剰部分２３ｃをシート２１の側面接着部（短辺側面１０ｃ，１０ｃ）に折り重ねて固定する仕上げとしたため、従来のように、余剰部分２３ｃを切除する必要がない。よって、切除の加工精度が低いために基材１０が露出する等のラッピング不良を生じることがない。従って、基材１０の露出が生じないラッピング精度の高いラッピング化粧板１を提供することができる。
【００７１】
また、本ラッピング化粧板１では、基材１０の側面（短辺側面１０ｃ，１０ｃ）に、余剰部分２３ｃ，…，２３ｃが側面接着部（短辺側面１０ｃ，１０ｃ）に重なる重複部分２０ｄを収容する収容凹部３０を形成することとした。このような構成により、化粧シート層２０においてその他の部分よりも分厚い重複部分２０ｄが収容凹部３０に収容されるため、化粧シート層２０の重複部分２０ｄがその他の部分よりも基材１０の側面（短辺側面１０ｃ，１０ｃ）の外側へ出っ張ることがなく、その他の部分に沿うように馴染む。従って、複数のラッピング化粧板１を並べて床材や壁材として用いる際に、ラッピング化粧板１の間に隙間が形成されて目地が大きくなることがなく、意匠性の低下を抑制することができる。また、ラッピング化粧板１の側面（短辺側面１０ｃ，１０ｃ）に段差が形成されないため、複数のラッピング化粧板１を並べて床材や壁材として用いる際に、ずれ等の施工不良を抑制することもできる。
【００７２】
ところで、本実施形態１では、収容凹部３０は、上記重複部分２０ｄに対応する形状に形成されている。このような構成により、収容凹部３０を無駄に大きく形成することなく、必要最小限の大きさに形成することができる。これにより、無駄に基材１０の強度を低下させることなく、ラッピング化粧板１の側面（短辺側面１０ｃ，１０ｃ）において段差が生じるのを抑制することができる。
【００７３】
また、本実施形態１では、収容凹部３０は、基材１０の短辺側面１０ｃ，１０ｃにおいて、面取り部２と雌実４又は雄実５との間に形成されている。このような構成により、基材１０の周囲側面１０ｂ，１０ｂ，１０ｃ，１０ｃを切り欠いて面取り部３や雌実４又は雄実５を形成する際に、容易に収容凹部３０も形成することができる。
【００７４】
また、本実施形態１では、基材１０を木質材料からなる板状部材で構成している。木質材料からなる板状部材は平滑性が高い。そのため、加工性に優れ、化粧シート層２０の形成を容易に行うことができると共に、意匠性に優れたラッピング化粧板１を構成することができる。また、木質材料からなる板状部材によって基材１０を構成することにより、基材１０の一部を切り欠くことによって容易に収容凹部３０を形成することができる。これにより、基材１０の切り欠き加工時（例えば、実加工時）に、同時に収容凹部３０を形成することができるため、基材１０に収容凹部３０を形成することとしても、加工工程を増やすことなく、容易に基材１０を形成することができる。
【００７５】
また、本実施形態１では、基材１０の表面１０ａより大きなシート２１を折り曲げて基材１０の表面１０ａと周囲側面１０ｂ，１０ｂ，１０ｃ，１０ｃとに接着した後に、シート２１の周縁部２３であって基材１０の各角部において該基材１０の側面１０ｂ，１０ｂ，１０ｃ，１０ｃからはみ出した余剰部分２３ｃを、シート２１の周縁部２３であって基材１０の側面（短辺側面１０ｃ）に接着された側面接着部（短辺側面接着部２３ｂ）に折り重ねて接着することとした。このようにシート２１の周縁部２３の余剰部分２３ｃを基材１０の側面（短辺側面１０ｃ）に接着された側面接着部（短辺側面接着部２３ｂ）に折り重ねて接着する仕上げとしたため、従来の製造方法のように余剰部分２３ｃを切除する必要がない。よって、切除の加工精度が低いために基材１０が露出する等のラッピング不良を生じることがない。従って、基材１０の露出が生じないラッピング精度の高いラッピング化粧板１を製造することができる。また、余剰部分２３ｃを精度よく切除する必要がないため、従来の製造方法よりもラッピング化粧板１を容易に製造することができる。
【００７６】
また、本実施形態１では、シート２１の周縁部２３の余剰部分２３ｃを切除することなく、折り曲げて側面接着部（短辺側面接着部２３ｂ）に重ねた後、余剰部分２３ｃが側面接着部（短辺側面接着部２３ｂ）に重なる化粧シート層２０の重複部分２０ｄを、シート２１の接着前に基材１０の側面（短辺側面１０ｃ）に形成した収容凹部３０に押し込みながら余剰部分２３ｃを側面接着部（短辺側面接着部２３ｂ）に固定することとした。このような製造方法により、化粧シート層２０の側面部分（短辺側面部２０ｃ）においてその他の部分よりも分厚い重複部分２０ｄが、基材１０の側面（短辺側面１０ｃ）の外側へ出っ張ることがなく、その他の部分に沿うように馴染む。そのため、意匠性及び施工性に優れたラッピング化粧板１を製造することができる。また、上記製造方法によれば、余剰部分２３ｃを切断することなく、余剰部分２３ｃを折り曲げて側面接着部（短辺側面接着部２３ｂ）に重ね、その化粧シート層２０の重複部分２０ｄを収容凹部３０に押し込みながら両者を接着するだけでよく、また、余剰部分２３ｃを切除する従来の製造方法のように、加工精度によって仕上がりが大きく左右されることがないので、意匠性及び施工性に優れたラッピング化粧板１を容易に形成することができる。
【００７７】
《その他の実施形態》
上記実施形態では、基材１０の短辺側面１０ｃ，１０ｃに収容凹部３０を形成していたが、収容凹部３０は、基材１０の長辺側面１０ｂ，１０ｂに形成されていてもよい。収容凹部３０は、基材１０の各角部を挟む長辺側面１０ｂと短辺側面１０ｃの少なくとも一方に形成されていればよいが、両方に形成されていてもよい。
【００７８】
また、上記実施形態では、収容凹部３０は、三角形状の凹溝によって構成されていたが、収容凹部３０は、化粧シート層２０の重複部分２０ｄを収容可能な大きさであれば、三角形状に限られない。矩形状の凹溝であってもよい。
【００７９】
また、上記実施形態では、シート２１の余剰部分２３ｃを側面接着部（短辺側面接着部２３ｂ）に固定する際に、接着剤を用いて接着することとしていたが、加熱することによって余剰部分２３ｃを溶融させて側面接着部に融着することとしてもよい。
【００８０】
また、上記実施形態では、シート２１の余剰部分２３ｃが側面接着部（短辺側面接着部２３ｂ）に重なる化粧シート層２０の重複部分２０ｄを、収容凹部３０に押し込むこととしていたが、収容凹部３０を形成せずに、単に、シート２１の余剰部分２３ｃを切除せずに折り曲げて側面接着部に固定するだけであっても、基材１０の露出が生じないラッピング精度の高いラッピング化粧板１を提供でき、また、そのような構造のラッピング化粧板１を容易に製造することができる点において、従来のラッピング化粧板１より有利なものである。
【００８１】
また、上記各実施形態では、ラッピング化粧板１を床材として用いることとしていたが、ラッピング化粧板１の用途は床材に限られない。その他、例えば、壁材等に用いることも勿論可能である。
【産業上の利用可能性】
【００８２】
以上説明したように、本発明は、建築物の床材や壁材等に用いられる板状の基材の表面がシートでラッピングされたラッピング化粧板及びその製造方法について有用である。
【符号の説明】
【００８３】
１      ラッピング化粧板
２      面取り部
４      雌実
５      雄実
１０      基材
１０ａ    表面
１０ｂ    長辺側面（周囲側面、側面）
１０ｃ    短辺側面（周囲側面、側面）
２０      化粧シート層
２０ｄ    重複部分
２１      シート
２３      周縁部
２３      余剰部分
２３ａ    長辺側面接着部（側面接着部）
２３ｂ    短辺側面接着部（側面接着部）
２３ｃ    余剰部分
３０      収容凹部
【手続補正２】
【補正対象書類名】特許請求の範囲
【補正対象項目名】全文
【補正方法】変更
【補正の内容】
【特許請求の範囲】
【請求項１】
板状の基材と、周縁部が該基材の周囲側面に位置するように、該基材の表面及び周囲側面に接着一体化されたシートからなる化粧シート層とを備えたラッピング化粧板であって、
上記化粧シート層では、上記シートの周縁部であって上記基材の各角部において該基材の側面からはみ出した余剰部分が、上記シートの周縁部であって上記基材の側面に設けられた側面接着部に折り重ねられた状態で固定され、
上記基材の側面には、上記余剰部分が上記側面接着部に重なる重複部分を収容する収容凹部が形成されている
ことを特徴とするラッピング化粧板。
【請求項２】
請求項１において、
上記収容凹部は、上記重複部分に対応する形状に形成されている
ことを特徴とするラッピング化粧板。
【請求項３】
請求項１又は２において、
上記基材の表面の周縁部は、外側に向かうほど裏面側に位置する面取り部に構成され、
上記基材の周囲側面の各辺には、隣接するラッピング化粧板の基材と係合する雌実又は雄実がそれぞれ形成され、
上記収容凹部は、上記基材の表裏方向において、上記面取り部の裏側端部と上記雌実又は雄実の表側端面との間に形成されている
ことを特徴とするラッピング化粧板。
【請求項４】
請求項１乃至３のいずれか１つにおいて、
上記基材は、木質材料からなる板状部材によって構成されている
ことを特徴とするラッピング化粧板。
【請求項５】
板状の基材と、該基材の表面及び周囲側面に接着一体化されたシートからなる化粧シート層とを備えたラッピング化粧板の製造方法であって、
上記基材の表面よりも大きい上記シートを、周縁部が上記基材の周囲側面に位置するように折り曲げて上記基材の表面と周囲側面とに接着するシート接着工程と、
上記シート接着工程において、上記シートの周縁部であって上記基材の各角部において該基材の側面からはみ出した余剰部分を、上記シートの周縁部であって上記基材の側面に設けられた側面接着部に折り重ねて接着する余剰部分処理工程と、
上記シート接着工程の前に、上記基材の側面の一部を切り欠いて、上記余剰部分が上記側面接着部に重なる重複部分を収容する収容凹部を形成する切り欠き工程とを備え、
上記余剰部分処理工程は、
上記余剰部分を折り曲げて上記側面接着部に重ねる折り曲げ工程と、
上記余剰部分が該側面接着部に重なる重複部分を、上記収容凹部に押し込みながら上記余剰部分を上記側面接着部に接着する接着工程とを備えている
ことを特徴とするラッピング化粧板の製造方法。